(57)【要約】【課題】本発明は、撮影レンズで被写体を撮像素子に結像させる撮影モジュール、およびそのような撮影モジュールの結像調整方法に関し、調整量に拘わらずレンズバレルと素子ホルダとの接着固定が確実な撮影モジュール、およびそのような撮影モジュールの結像調整方法を提供することを目的とする。【解決手段】撮影モジュール１００は、前面１１１と後面１１２とに開口した筒体であってこの筒体内部に撮影レンズ１２０が保持されたレンズバレル１１０と、レンズバレル１１０の外周面１１３との間に隙間３００を持ってレンズバレル１１０の少なくとも後面１１２側外周を取り巻く筒部１３１を有し、レンズバレル１１０の後面１１２に対面する位置に撮像素子１４１が固定されるとともにレンズバレル１１０が接着された素子ホルダ１３０とを備えている。【選択図】        図２
2011023889.tif 000002
【特許請求の範囲】
【請求項１】
被写体光を撮影レンズを介して撮像素子に結像させる撮影モジュールにおいて、
被写体側面と結像側面とに開口した筒体であって該筒体内部に撮影レンズを保持するレンズバレルと、
前記レンズバレル外周面との間に隙間を持って該レンズバレル外周面を取り巻く筒部を有し、前記レンズバレルの結像側面に対面する位置に撮像素子が固定されるとともに該レンズバレルが固定された素子ホルダとを備えたことを特徴とする撮影モジュール。
【請求項２】
前記レンズバレルが、前記隙間を利用して、前記素子ホルダに対し相対的に、該レンズバレルに保持された撮影レンズによる前記撮像素子への結像が調整された姿勢で該素子ホルダに接着されたものであることを特徴とする請求項１記載の撮影モジュール。
【請求項３】
前記素子ホルダの筒部が、前記レンズバレルの被写体側面よりも前方に突出していることを特徴とする請求項１または２記載の撮影モジュール。
【請求項４】
前記レンズバレルが、該レンズバレルの被写体側面に凹部を有するものであることを特徴とする請求項１から３いずれか１項記載の撮影モジュール。
【請求項５】
前記素子ホルダが、該素子ホルダの筒部に、前記レンズバレルの被写体側面に接する前記レンズバレル外周面の一部分を露出させる切欠を有するものであることを特徴とする請求項１から４いずれか１項記載の撮影モジュール。
【請求項６】
前記素子ホルダは、外表面に金属皮膜が形成されたものであることを特徴とする請求項３から５いずれか１項記載の撮影モジュール。
【請求項７】
被写体側面と結像側面とに開口した筒体であって該筒体内部に撮影レンズを保持するレンズバレルと、前記レンズバレル外周面との間に隙間を持って該レンズバレル外周面を取り巻く筒部を有し、前記レンズバレルの結像側面に対面する位置に撮像素子が固定された素子ホルダとを備えた、被写体光を撮影レンズを介して撮像素子に結像させる撮影モジュールの結像調整方法であって、
前記隙間を利用して、前記レンズバレルの前記素子ホルダに対する相対的な姿勢を調整することにより該レンズバレルに保持された撮影レンズによる前記撮像素子への結像を調整し、
前記レンズバレルを前記結像が調整された姿勢のまま前記素子ホルダに接着固定することを特徴とする結像調整方法。
【発明の詳細な説明】
【技術分野】
【０００１】
本発明は、撮影レンズで被写体を撮像素子に結像させる撮影モジュール、およびそのような撮影モジュールの結像調整方法に関する。
【背景技術】
【０００２】
最近の携帯電話機には大抵撮影モジュールが内蔵されている。このような撮影モジュールにおいては、携帯電話機に搭載可能とするために出来うる限りの小型化を図る必要があり、例えば、撮影レンズが保持されたレンズバレルと、撮像素子が固定された素子ホルダという２つの部品を主な構成要素とすることで小型化を実現した撮影モジュールが知られている。このような撮影モジュールでは、レンズバレルと素子ホルダとの間にネジを形成して、フォーカス調整時にレンズバレルをねじ込むことによってレンズバレルを素子ホルダに対して光軸方向に沿って前後させ、レンズバレル内に保持された撮影レンズの結像位置に撮像素子を位置させた後、接着剤でレンズバレルと素子ホルダとを接着固定する構成にして、撮影モジュールの小型化を実現している。
【０００３】
しかし、このようにフォーカス調整用のレンズバレルと素子ホルダとの双方にネジを設けると、どうしてもレンズバレルと素子ホルダとの双方の径が大きくなる。
【０００４】
ところで、最近の携帯電話機においては盛んに小型・薄型化が進められている。このため、今後においては撮影モジュールの更なる小型・薄型化を図らないと、撮影モジュールを携帯電話機の内部に搭載することができなくなる恐れが出てくる。
【０００５】
そこで、レンズバレルと素子ホルダとの間のネジを廃止し、レンズバレルと素子ホルダとを相対的に移動させ、光軸調整やバックフォーカス調整やアオリ調整を行い、その後、レンズバレルの結像側となる後面を、素子ホルダの対物側となる前面に、互いに非接触の状態で接着（いわゆる空中接着）することによって、レンズバレルと素子ホルダとを固定する技術が提案されている（例えば特許文献１）。
【先行技術文献】
【特許文献】
【０００６】
【特許文献１】特開２００７−２７４２３０号公報
【発明の概要】
【発明が解決しようとする課題】
【０００７】
特許文献１に提案された撮影モジュールは、レンズバレルの後面が素子ホルダの前面に空中接着された構造であるため、光軸調整やバックフォーカス調整やアオリ調整などといった調整の量によっては、空中接着のための、レンズバレルの後面と素子ホルダの前面との間の隙間が大きくなり、この場合、レンズバレルと素子ホルダとの接着固定が不確実となってしまうおそれがある。
【０００８】
本発明は、上記事情に鑑み、調整量に拘わらずレンズバレルと素子ホルダとの接着固定が確実な撮影モジュール、およびそのような撮影モジュールの結像調整方法を提供することを目的とするものである。
【課題を解決するための手段】
【０００９】
上記目的を達成する本発明の撮影モジュールは、
被写体光を撮影レンズを介して撮像素子に結像させる撮影モジュールにおいて、
被写体側面と結像側面とに開口した筒体であってこの筒体内部に撮影レンズを保持するレンズバレルと、
上記レンズバレル外周面との間に隙間を持ってそのレンズバレル外周面を取り巻く筒部を有し、上記レンズバレルの結像側面に対面する位置に撮像素子が固定されるとともにそのレンズバレルが固定された素子ホルダとを備えたことを特徴とする。
【００１０】
ここで、本発明にいう「撮像素子」とは、例えばＣＣＤ（Ｃｈａｒｇｅ  Ｃｏｕｐｌｅｄ  Ｄｅｖｉｃｅ）イメージセンサやＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサなどのイメージセンサをいう。
【００１１】
本発明の撮影モジュールは、素子ホルダの筒部によって、レンズバレル外周面が取り巻かれており、その筒部とレンズバレル外周面との間に隙間が形成されているため、素子ホルダにレンズバレルを接着するにあたって塗布する接着剤をその隙間に充填させることができる。従って、本発明の撮影モジュールによれば、光軸調整やバックフォーカス調整やアオリ調整などといった調整の量に拘わらず、その隙間を利用して、レンズバレルを素子ホルダに確実に接着固定することができる。
【００１２】
ここで、本発明の撮影モジュールは、上記レンズバレルが、上記隙間を利用して、上記素子ホルダに対し相対的に、そのレンズバレルに保持された撮影レンズによる上記撮像素子への結像が調整された姿勢でその素子ホルダに接着されたものであることが好ましい。
【００１３】
このような好ましい形態によれば、調整された姿勢に拘わらず、隙間を利用して、レンズバレルを素子ホルダに確実に接着固定することができる。
【００１４】
また、本発明の撮影モジュールは、上記素子ホルダの筒部が、上記レンズバレルの被写体側面よりも前方に突出していることがさらに好ましい。
【００１５】
このような好ましい形態によれば、例えば、筒部の先端側やレンズバレルの被写体側面側に落下等による衝撃が加わったとしても、レンズバレルの被写体側面よりも前方に突出した筒部によって、その衝撃がレンズバレルに直接加わることが回避され、その衝撃に起因した接着剥離が防止される。
【００１６】
また、本発明の撮影モジュールは、上記レンズバレルが、このレンズバレルの被写体側面に凹部を有するものであるという形態も好ましい。
【００１７】
このような好ましい形態によれば、例えば光軸調整やバックフォーカス調整やアオリ調整のときなどに、凹部に位置決め治具等を嵌合させることにより、素子ホルダに対してレンズバレルを確実に位置決めすることができる。
【００１８】
また、本発明の撮影モジュールは、上記素子ホルダが、この素子ホルダの筒部に、上記レンズバレルの被写体側面に接する上記レンズバレル外周面の一部分を露出させる切欠を有するものであることも好ましい形態である。
【００１９】
このような好ましい形態によれば、例えば光軸調整やバックフォーカス調整やアオリ調整のときなどに、切欠によって露出した上記一部分を治具等で把持することにより、レンズバレルを確実に保持することができる。
【００２０】
また、本発明の撮影モジュールのうちの、上記素子ホルダの筒部が上記レンズバレルの被写体側面よりも前方に突出した撮影モジュールにおいて、その素子ホルダは、外表面に金属皮膜が形成されたものであることが好ましい。
【００２１】
このような好ましい形態によれば、素子ホルダの外表面に金属皮膜が形成されているため、その金属皮膜によって、当該撮影モジュールが実用に充分な程度に電磁シールドされる。
【００２２】
また、上記目的を達成する本発明の結像調整方法は、
被写体側面と結像側面とに開口した筒体であってこの筒体内部に撮影レンズを保持するレンズバレルと、上記レンズバレル外周面との間に隙間を持ってそのレンズバレル外周面を取り巻く筒部を有し、上記レンズバレルの結像側面に対面する位置に撮像素子が固定された素子ホルダとを備えた、被写体光を撮影レンズを介して撮像素子に結像させる撮影モジュールの結像調整方法であって、
上記隙間を利用して、上記レンズバレルの上記素子ホルダに対する相対的な姿勢を調整することによりそのレンズバレルに保持された撮影レンズによる上記撮像素子への結像を調整し、
上記レンズバレルを上記結像が調整された姿勢のまま上記素子ホルダに接着固定することを特徴とする。
【００２３】
本発明の結像調整方法は、本発明の撮影モジュールの結像調整方法であるため、調整量に拘わらずレンズバレルが素子ホルダに確実に接着固定される。
【発明の効果】
【００２４】
本発明によれば、調整量に拘わらずレンズバレルと素子ホルダとの接着固定が確実な撮影モジュール、およびそのような撮影モジュールの結像調整方法が提供される。
【図面の簡単な説明】
【００２５】
【図１】本発明の一実施形態である撮影モジュールを前面斜め上から見た斜視図である。
【図２】図１に示す線Ａ−Ａに沿った断面図である。
【図３】本発明の別の実施形態である撮影モジュールの縦断面図である。
【図４】本発明のさらに別の実施形態である撮影モジュールの縦断面図である。
【発明を実施するための形態】
【００２６】
以下、図面を参照して本発明の実施の形態を説明する。
【００２７】
図１は、本発明の一実施形態である撮影モジュール１００を前面斜め上から見た斜視図である。また、図２は、図１に示す線Ａ−Ａに沿った断面図である。
【００２８】
図１，図２に示す撮影モジュール１００は、レンズバレル１１０と素子ホルダ１３０とを備えている。
【００２９】
レンズバレル１１０には、撮影レンズ１２０が保持されている。尚、本実施形態の撮影レンズ１２０は４枚で構成されているが、図では１つのブロックとして簡略化して示している。このレンズバレル１１０は、対物側となる前面１１１と、結像側となる後面１１２と、前面１１１と後面１１２との間に挟まれた外周面１１３とを有し、前面１１１には対物側開口１１１ａを有し、後面１１２には結像側開口１１２ａを有した筒体である。また、レンズバレル１１０は、前面１１１に２つの凹部１１１１，１１１２を有する。この凹部１１１１，１１１２は、図示しない位置決め治具を嵌合させるためのものである。例えば光軸調整やバックフォーカス調整やアオリ調整のときなどに、凹部１１１１，１１１２に図示しない位置決め治具を嵌合させることにより、素子ホルダ１３０に対してレンズバレル１１０を確実に位置決めすることができる。
【００３０】
素子ホルダ１３０は、レンズバレル１１０の外周面１１３との間に隙間３００を持ってレンズバレル１１０の少なくとも後面１１２側外周を取り巻く円筒部１３１を有する。ここでは、図１，図２に示すように、この円筒部１３１が、レンズバレル１１０の前面１１１よりも前方に突出している。より詳細には、素子ホルダ１３０の光軸方向である矢印Ｂ方向に沿う寸法が、レンズバレル１１０の矢印Ｂ方向に沿う寸法よりも長く、素子ホルダ１３０の前面１３２が、レンズバレル１１０の前面１１１よりも突出している。
【００３１】
また、素子ホルダ１３０は、隙間３００を利用して、素子ホルダ１３０に対し相対的に、レンズバレル１１０に保持された撮影レンズ１２０による撮像素子１４１への結像が調整された姿勢で、レンズバレル１１０が接着されたものである。より詳細には、レンズバレル１１０の、隙間３００を形成する部分に、予め、例えば熱硬化タイプの接着剤３１０を塗布しておき、接着剤３１０が塗布されたレンズバレル１１０を素子ホルダ１３０に挿入し、素子ホルダ１３０にレンズバレル１１０が接着固定されることに先立ってレンズバレル１１０と素子ホルダ１３０とを相対的に移動させて光軸調整やバックフォーカス調整やアオリ調整を行う。このような調整後、素子ホルダ１３０の外側から、隙間３００の接着剤３１０に向けて熱を加え、接着剤３１０を硬化させる。このような工程を経ることによって、素子ホルダ１３０とレンズバレル１１０とは、空中接着されている。従って、それらの調整の量に拘わらず、隙間３００を利用して、レンズバレル１１０を素子ホルダ１３０に確実に接着固定することができる。
【００３２】
また、素子ホルダ１３０には、レンズバレル１１０の後面１１２に対面する位置に、撮像素子１４１が実装された回路基板１４０が固定されている。さらに、素子ホルダ１３０には、回路基板１４０とレンズバレル１１０の後面１１２との間に、撮像素子１４１への赤外線の入射を阻止する赤外カットフィルタ１５０も固定されている。
【００３３】
また、素子ホルダ１３０の外表面、すなわち回路基板１４０が固定された後面１１２側の外表面および円筒部１３１の外表面には、金属皮膜１６０が形成されている。この金属皮膜１６０は、例えば蒸着処理によって施され、本実施形態では、金属皮膜１６０の一例として、銅皮膜が形成された後にステンレス皮膜が形成されている。
【００３４】
また、素子ホルダ１３０は、円筒部１３１に、レンズバレル１１０の前面１１１に接する外周面１１３の一部分１１３１，１１３２，１１３３，１１３４を露出させる、円周上に等間隔に配置された４つの切欠１３１１，１３１２，１３１３，１３１４を有する。この切欠１３１１，１３１２，１３１３，１３１４は、レンズバレル１１０を保持するために設けられているものであって、例えば光軸調整やバックフォーカス調整やアオリ調整のときなどに、切欠１３１１，１３１２，１３１３，１３１４によって露出した一部分１１３１，１１３２，１１３３，１１３４を図示しない治具で把持することにより、レンズバレル１１０を確実に保持することができる。
【００３５】
ここで、本発明の一実施形態である結像調整方法を説明する。
【００３６】
以下説明する結像調整方法は、図１，図２を参照して説明した撮影モジュール１００の結像調整方法である。具体的には、前面１１１と後面１１２とに開口した筒体であってこの筒体内部に撮影レンズ１２０が保持されたレンズバレル１１０と、レンズバレル１１０の外周面１１３との間に隙間３００を持ってレンズバレル１１０の少なくとも後面１１２側外周を取り巻く円筒部１３１を有し、レンズバレル１１０の後面１１２に対面する位置に撮像素子１４１が固定された素子ホルダ１３０とを備えた撮影モジュール１００の結像調整方法である。
【００３７】
まず、隙間３００を利用して、レンズバレル１１０の素子ホルダ１３０に対する相対的な姿勢を調整することによりレンズバレル１１０に保持された撮影レンズ１２０による撮像素子１４１への結像を調整する。
【００３８】
次に、レンズバレル１１０を前記結像が調整された姿勢のまま素子ホルダ１３０に接着固定する。
【００３９】
以上で、結像調整方法についての説明を終了する。
【００４０】
本実施形態の撮影モジュール１００は、素子ホルダ１３０にレンズバレル１１０が接着された構成であるものの、素子ホルダ１３０の円筒部１３１によって、レンズバレル１１０の外周面１１３が取り巻かれ、円筒部１３１が、レンズバレル１１０の前面１１１よりも前方に突出しているため、耐衝撃性に優れる。例えば、撮影モジュール１００を対物側である先端から落下した際にレンズバレル１１０に衝撃が加わりにくい。
【００４１】
また、本実施形態の撮影モジュール１００の組み立てにおいて、レンズバレル１１０と素子ホルダ１３０との接着にあたって、光軸調整やバックフォーカス調整やアオリ調整のためにレンズバレル１１０と素子ホルダ１３０とを相対的に移動させるとき、レンズバレル１１０の位置は、素子ホルダ１３０の円筒部１３１が取り巻く領域内に納まる。そのため、本実施形態の撮影モジュール１００の光軸方向である矢印Ｂ方向に沿う寸法すなわち全長は、撮像素子１４１が実装された回路基板１４０が固定された素子ホルダ１３０の矢印Ｂ方向に沿う寸法に確定される。すなわち、本実施形態の撮影モジュール１００は、撮影モジュール１００の矢印Ｂ方向に沿う寸法が光軸調整やバックフォーカス調整やアオリ調整に伴って変化することがなく予め確定されているので、例えば撮影モジュール１００を携帯電子機器に組み込む場合、精密な構造を設計し易い。
【００４２】
ここで、一般に、撮影モジュールの表面に金属皮膜が形成されていると、この金属皮膜が電磁シールドとして機能し、電磁波などに起因するノイズの影響が抑制される。そして、このような金属皮膜は、例えば蒸着処理によって施すことができる。
【００４３】
本実施形態の撮影モジュール１００は、素子ホルダ１３０の円筒部１３１によって、レンズバレル１１０の外周面１１３が取り巻かれており、回路基板１４０が固定された後面１１２側の外表面および円筒部１３１の外表面に金属皮膜１６０が形成されているため、その金属皮膜１６０によって、撮影モジュール１００が実用に充分な程度に電磁シールドされる。従って、本実施形態の撮影モジュール１００によれば、レンズバレル１１０には電磁シールドのための金属皮膜が形成されている必要がない。
【００４４】
以上で、本発明の一実施形態である撮影モジュール１００についての説明を終了する。
【００４５】
次に、本発明の別の実施形態である撮影モジュール１０００について図３を参照して説明する。
【００４６】
以下の別の実施形態の説明では、上述した実施形態における要素と同じ要素については同じ符号を付して説明を省略し、上述した実施形態との相違点についてのみ説明する。
【００４７】
図３は、本発明の別の実施形態である撮影モジュール１０００の縦断面図である。
【００４８】
図３に示す撮影モジュール１０００は、レンズバレル１１０と素子ホルダ１３００とを備えている。
【００４９】
素子ホルダ１３００は、円筒部１３１に、円筒部１３１を光軸に交わる方向に貫通した複数の貫通孔１３３を有する。尚、図３には１つの貫通孔１３３が示されているが、これら複数の貫通孔１３３は、例えば円周方向に沿って５つ設けられている。
【００５０】
また、素子ホルダ１３００は、隙間３００を利用して、素子ホルダ１３００に対し相対的に、レンズバレル１１０に保持された撮影レンズ１２０による撮像素子１４１への結像が調整された姿勢で、レンズバレル１１０が接着されたものである。より詳細には、素子ホルダ１３００にレンズバレル１１０が接着固定されることに先立ってレンズバレル１１０と素子ホルダ１３００とを相対的に移動させて光軸調整やバックフォーカス調整やアオリ調整を行う。このような調整後、レンズバレル１１０および素子ホルダ１３００の位置関係を保持した状態で、貫通孔１３３から、例えば熱硬化タイプの接着剤３１０を隙間３００に流し込み、素子ホルダ１３００の外側から、隙間３００の接着剤３１０に向けて熱を加え、接着剤３１０を硬化させる。このような工程を経ることによって、素子ホルダ１３００とレンズバレル１１０とは、空中接着されている。従って、それらの調整の量に拘わらず、隙間３００を利用して、レンズバレル１１０を素子ホルダ１３００に確実に接着固定することができる。
【００５１】
以上で、本発明の別の実施形態である撮影モジュール１０００についての説明を終了する。
【００５２】
次に、本発明のさらに別の実施形態である撮影モジュール２００について図４を参照して説明する。
【００５３】
図４は、本発明のさらに別の実施形態である撮影モジュール２００の縦断面図である。
【００５４】
図４に示す撮影モジュール２００は、レンズバレル２１０と素子ホルダ２３０とを備えている。
【００５５】
レンズバレル２１０には、撮影レンズ２２０が保持されている。尚、この撮影レンズ２２０は４枚で構成されているが、図では１つのブロックとして簡略化して示している。このレンズバレル２１０は、対物側となる前面２１１と、結像側となる後面２１２と、前面２１１に接する拡径部分２１３１を有し前面２１１と後面２１２との間に挟まれた外周面２１３とを備え、前面２１１には対物側開口２１１ａを有し、後面２１２には結像側開口２１２ａを有した筒体である。拡径部分２１３１は、レンズバレル２１０を保持するため設けられているものであって、例えば光軸調整やバックフォーカス調整やアオリ調整のときなどに拡径部分２１３１を図示しない治具で把持することにより、レンズバレル２１０を確実に保持することができる。また、レンズバレル２１０は、前面２１１に２つの凹部２１１１，２１１２を有する。この凹部２１１１，２１１２は、図示しない位置決め治具を嵌合させるためのものである。例えば光軸調整やバックフォーカス調整やアオリ調整のときなどに、凹部２１１１，２１１２に図示しない位置決め治具を嵌合させることにより、素子ホルダ２３０に対してレンズバレル２１０を確実に位置決めすることができる。
【００５６】
素子ホルダ２３０は、レンズバレル２１０の外周面２１３との間に隙間４００を持ってレンズバレル２１０の少なくとも後面２１２側外周を取り巻く円筒部２３１を有する。ここでは、図４に示すように、この円筒部２３１が、レンズバレル２１０の前面２１１および拡径部分２１３１を除く外周を取り巻いている。より詳細には、素子ホルダ２３０の光軸方向である矢印Ｃ方向に沿う寸法が、レンズバレル２１０の矢印Ｃ方向に沿う寸法よりも短く、レンズバレル２１０の前面２１１および拡径部分２１３１が露出している。そのため、拡径部分２１３１を把持することができ、例えば光軸調整やバックフォーカス調整やアオリ調整が容易である。
【００５７】
また、素子ホルダ２３０は、隙間４００を利用して、素子ホルダ２３０に対し相対的に、レンズバレル２１０に保持された撮影レンズ２２０による撮像素子２４１への結像が調整された姿勢で、レンズバレル２１０が接着されたものである。より詳細には、レンズバレル２１０の、隙間４００を形成する部分に、予め、例えば熱硬化タイプの接着剤４１０を塗布しておき、接着剤４１０が塗布されたレンズバレル２１０を素子ホルダ２３０に挿入し、素子ホルダ２３０にレンズバレル２１０が接着固定されることに先立ってレンズバレル２１０と素子ホルダ２３０とを相対的に移動させて光軸調整やバックフォーカス調整やアオリ調整を行う。このような調整後、素子ホルダ２３０の外側から、隙間４００の接着剤３１０に向けて熱を加え、接着剤４１０を硬化させる。このような工程を経ることによって、素子ホルダ２３０とレンズバレル２１０とは、空中接着されている。従って、それらの調整の量に拘わらず、隙間４００を利用して、レンズバレル２１０を素子ホルダ２３０に確実に接着固定することができる。
【００５８】
また、素子ホルダ２３０には、レンズバレル２１０の後面２１２に対面する位置に、撮像素子２４１が実装された回路基板２４０が固定されている。さらに、素子ホルダ２３０には、回路基板２４０とレンズバレル２１０の後面２１２との間に、撮像素子２４１への赤外線の入射を阻止する赤外カットフィルタ２５０も固定されている。
【００５９】
また、素子ホルダ２３０の外表面、すなわち回路基板２４０が固定された後面２１２側の外表面および円筒部２３１の外表面には、金属皮膜２６０が形成されている。この金属皮膜２６０は、例えば蒸着処理によって施され、本実施形態では、金属皮膜２６０の一例として、銅皮膜が形成された後にステンレス皮膜が形成されている。
【００６０】
以上説明したように構成された図４に示す撮影モジュール２００は、素子ホルダ２３０の円筒部２３１によって、レンズバレル２１０の前面２１１および拡径部分２１３１を除く外周が取り巻かれており、回路基板２４０が固定された後面２１２側の外表面および円筒部２３１の外表面に金属皮膜２６０が形成されているため、拡径部分２１３１は露出しているものの、その金属皮膜２６０によって、撮影モジュール２００がたいがい電磁シールドされる。
【００６１】
尚、上述した各実施形態では、本発明にいう撮影レンズが、４枚の撮影レンズからなるものである例を挙げて説明したが、本発明にいう撮影レンズは、これらに限られるものではなく、いかなる枚数の撮影レンズからなるものであってもよい。
【００６２】
また、上述した各実施形態では、本発明にいうレンズバレルが、固定的に撮影レンズを保持するものである例を挙げて説明したが、本発明にいうレンズバレルは、これらに限られるものではなく、撮影レンズを光軸方向にピント調整用に移動させるアクチュエータを保持する構成のものであってもよい。
【００６３】
また、上述した各実施形態では、本発明にいう素子ホルダの筒部が円筒部である例を挙げて説明したが、本発明にいう素子ホルダの筒部は、これらに限られるものではなく、レンズバレル外周面との間に隙間を持ってそのレンズバレル外周面を取り巻くものであれば、例えば内周および／または外周が角筒形状を有する角筒部であってもよい。
【符号の説明】
【００６４】
１００，２００，１０００    撮影モジュール
１１０，２１０    レンズバレル
１１１，２１１    前面
１１１ａ，２１１ａ    対物側開口
１１１１，１１１２，２１１１，２１１２    凹部
１１２，２１２    後面
１１２ａ，２１２ａ    結像側開口
１１３，２１３    外周面
１１３１，１１３２，１１３３，１１３４    一部分
２１３１    拡径部分２１３１
１２０，２２０    撮影レンズ
１３０，２３０，１３００    素子ホルダ
１３１，２３１    円筒部
１３１１，１３１２，１３１３，１３１４    切欠
１３２    前面
１３３    貫通孔
１４０，２４０    回路基板
１４１，２４１    撮像素子
１５０，２５０    赤外カットフィルタ
１６０，２６０    金属皮膜
３００，４００    隙間
３１０，４１０    接着剤
【図１】
2011023889.tif 000003
【図２】
2011023889.tif 000004
【図３】
2011023889.tif 000005
【図４】
2011023889.tif 000006